(57)【要約】      （修正有）【課題】クリップに関し、ピンがグロメットの脚片の間を真っ直ぐに横ズレすることなくスライドガイドされるようにしたもの。【解決手段】ピン50の軸方向にグロメット40の複数の脚片71の両端部をスライドして脚片71の拡開をガイドするガイド部92を設ける。ガイド部92は、薄板状に形成される。板状部材に開設された取付孔内を通過時には、一対の縦壁からなるガイド部92内を脚片71が放射方向の内側に弾性変形する。ガイド部92と脚片71の内側に設けたリブと協働によるピンのスライドガイドをした。また、一対の縦壁は、脚片71がはまり込む間隔を保って離れて対向し、基端部側から先端部側に向かって対向間隔が徐々に狭まるように形成された。さらに、グロメットの４本の脚片は、２本でも、４本でも良い。【選択図】図１
2014129861.tif 000002
【特許請求の範囲】
【請求項１】
ピンの軸方向にグロメットの複数の脚片の両端部をスライドして脚片の拡開をガイドするガイド部を設け、
前記ガイド部は、
薄板状に形成され、
板状部材に開設された取付孔内を通過時には、
一対の縦壁からなるガイド部内を前記脚片が放射方向の内側に弾性変形し、
前記ガイド部と前記脚片の内側に設けたリブと協働による前記ピンのスライドガイドをしたことを特徴とするクリップ。
【請求項２】
ピンの軸方向にグロメットの複数の脚片の両端部をスライドして脚片の拡開をガイドするガイド部を設け、
前記ガイド部は、
薄板状に形成され、
板状部材に開設された取付孔内を通過時には、
一対の縦壁からなるガイド部内を前記脚片が放射方向の内側に弾性変形し、
前記一対の縦壁は、
前記脚片がはまり込む間隔を保って離れて対向し、基端部側から先端部側に向かって対向間隔が徐々に狭まるように形成されたことを特徴とする記載のクリップ。
【請求項３】
前記ピンの軸方向に前記グロメットの４本の前記脚片を側部をスライドして前記脚片の拡開をガイドする前記ガイド部を設け、
前記ガイド部は、
前記脚片の拡開状態で複数の前記脚片の側部を跨いで設けられた請求項１又は請求項２に記載のクリップ。
【請求項４】
前記ピンの軸方向に前記グロメットの４本の前記脚片の各側部をスライドして前記脚片との間に、
砂等の異物の侵入を許す隙間のないよう防止部を設けたことを特徴とする請求項１〜３のいずれか１項に記載のクリップ。
【請求項５】
前記防止部は、
一対の縦壁からなり、
前記一対の縦壁は、
前記脚片がはまり込む間隔を保って離れて対向し、基端部側から先端部側に向かって対向間隔が徐々に狭まるように形成され、前記脚片の両側部間との隙間を覆うことを特徴とする請求項４に記載のクリップ。
【請求項６】
前記グロメットの前記脚片の内側に設けたリブが、
前記ピンと前記脚片との間の隙間を覆うことを特徴とする請求項１に記載のクリップ。
【発明の詳細な説明】
【技術分野】
【０００１】
この発明は、クリップに関し、ピンがグロメットの脚片の間を真っ直ぐに横ズレすることなくスライドガイドされるようにしたものである。
【背景技術】
【０００２】
従来、ピン又はグロメットの少なくともどちらか一方に、砂利等の異物の侵入を防ぐ防止部を設けたクリップが知られている（特許文献１の段落番号「００６１」及び「００６２」、並びに図１、図３〜６、図８及び図９参照）。
【先行技術文献】
【特許文献】
【０００３】
【特許文献１】特開2012-26553号公報
【発明の概要】
【発明が解決しようとする課題】
【０００４】
しかし、上記した従来のクリップでは、防止部によりピンの直進性を改善できる効果も期待できたが、砂利等の異物の侵入の目的を第一目的としているため、直進性に改善が不十分であった問題点があった。
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
【０００５】
すなわち、請求項１に記載の発明は、ピンがグロメットの脚片の間を真っ直ぐに横ズレすることなくスライドガイドされるようにしたものである。
特に、請求項１に記載の発明は、ピン側に設けたガイド部と、グロメットの脚片の内側に設けたリブとが協働して、ピンの直進性を改善することができるようにしたものである。
（請求項２）
請求項２に記載の発明は、次の点を目的とする。
【０００６】
すなわち、請求項２に記載の発明は、上記した請求項１に記載の発明の目的と同様に、ピンがグロメットの脚片の間を真っ直ぐに横ズレすることなくスライドガイドされるようにしたものである。
特に、請求項２に記載の発明は、ガイド部の幅方向の端部を、内向きに傾斜させることで、ピンの直進性を改善することができるようにしたものである。
（請求項３）
請求項３に記載の発明は、上記した請求項１又は請求項２に記載の発明の目的に加え、次の点を目的とする。
【０００７】
すなわち、請求項３に記載の発明は、グロメットの脚片が４本のものに好適なクリップを提供することができるようにしたものである。
（請求項４）
請求項４に記載の発明は、上記した請求項１〜３のいずれか１項に記載の発明の目的に加え、次の点を目的とする。
【０００８】
すなわち、請求項４に記載の発明は、ピンの直進性の改善に加え、防止部により、砂利等の異物の侵入を防止することができるようにしたものである。
（請求項５）
請求項５に記載の発明は、上記した請求項４に記載の発明の目的に加え、次の点を目的とする。
【０００９】
すなわち、請求項５に記載の発明は、防止部の幅方向の端部を、内向きに傾斜させることで、砂利等の異物の侵入を効果的に防止することができるようにしたものである。
（請求項６）
請求項６に記載の発明は、上記した請求項１に記載の発明の目的に加え、次の点を目的とする。
【００１０】
すなわち、請求項６に記載の発明は、グロメットの脚片の内側に設けたリブにより、ピンの直進性の改善に加え、砂利等の異物の侵入を防止することができるようにしたものである。
【課題を解決するための手段】
【００１１】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１２】
第１に、例えば図１及び図２６に示すように、ピン(50)の軸方向にグロメット(40)の複数の脚片(71)の両端部をスライドして脚片(71)の拡開をガイドするガイド部(92)を設ける。
第２に、ガイド部(92)は、薄板状に形成される。
第３に、板状部材(20)に開設された取付孔(21)内を通過時には、一対の縦壁(92a)からなるガイド部(92)内を脚片(71)が放射方向の内側に弾性変形する。
【００１３】
第４に、例えば図８、図２４及び図２６に示すように、ガイド部(92)と脚片(71)の内側に設けたリブ(73)と協働によるピン(50)のスライドガイドをした。
（請求項２）
請求項２に記載の発明は、次の点を特徴とする。
第１に、例えば図１及び図２６に示すように、ピン(50)の軸方向にグロメット(40)の複数の脚片(71)の両端部をスライドして脚片(71)の拡開をガイドするガイド部(92)を設ける。
【００１４】
第２に、ガイド部(92)は、例えば図１及び図２６に示すように、薄板状に形成される。
第３に、板状部材(20)に開設された取付孔(21)内を通過時には、一対の縦壁(92a)からなるガイド部(92)内を脚片(71)が放射方向の内側に弾性変形する。
第４に、一対の縦壁(92a)は、例えば図１６に示すように、脚片(71)がはまり込む間隔を保って離れて対向し、基端部側から先端部側に向かって対向間隔が徐々に狭まるように形成された（例えば同図の「ａ＜ｂ」参照）。
（請求項３）
請求項３に記載の発明は、上記した請求項１又は請求項２に記載の発明の特徴点に加え、次の点を特徴とする。
【００１５】
第１に、例えば図２８及び図３９に示すように、ピン(120)の軸方向にグロメット(110)の４本の脚片(141)を側部をスライドして脚片(141)の拡開をガイドするガイド部(162)を設ける。
第２に、ガイド部(162)は、例えば図３９に示すように、脚片(141)の拡開状態で複数の脚片(141)の側部を跨いで設けられた。
（請求項４）
請求項４に記載の発明は、上記した請求項１〜３のいずれか１項に記載の発明の特徴点に加え、次の点を特徴とする。
【００１６】
すなわち、ピン(120)の軸方向にグロメット(110)の４本の脚片(141)の各側部をスライドして脚片(141)との間に、例えば図２８及び図３９に示すように、砂等の異物の侵入を許す隙間のないよう防止部（例えばガイド部162と兼用）を設けたことを特徴とする請求項１〜３のいずれか１項に記載のクリップ。
（請求項５）
請求項５に記載の発明は、上記した請求項４に記載の発明の特徴点に加え、次の点を特徴とする。
【００１７】
第１に、防止部（例えばガイド部162と兼用）は、例えば図３９に示すように、一対の縦壁(162a)からなる。
第２に、一対の縦壁(162)は、例えば図３９に示すように、脚片(141)がはまり込む間隔を保って離れて対向し、基端部側から先端部側に向かって対向間隔が徐々に狭まるように形成され（図１６の「ａ＜ｂ」参照）、脚片(141)の両側部間との隙間を覆う。
（請求項６）
請求項６に記載の発明は、上記した請求項１に記載の発明の特徴点に加え、次の点を特徴とする。
【００１８】
すなわち、グロメット(40)の脚片(71)の内側に設けたリブ(73)が、例えば図２４に示すように、ピン(50)と脚片(71)との間の隙間を覆う。
【発明の効果】
【００１９】
本発明は、以上のように構成されているので、以下に記載されるような効果を奏する。（請求項１）
請求項１に記載の発明によれば、次のような効果を奏する。
すなわち、請求項１に記載の発明によれば、ピンがグロメットの脚片の間を真っ直ぐに横ズレすることなくスライドガイドされる。
【００２０】
特に、請求項１に記載の発明によれば、ピン側に設けたガイド部と、グロメットの脚片の内側に設けたリブとが協働して、ピンの直進性を改善することができる。
（請求項２）
請求項２に記載の発明によれば、次のような効果を奏する。
すなわち、請求項２に記載の発明によれば、上記した請求項１に記載の発明の目的と同様に、ピンがグロメットの脚片の間を真っ直ぐに横ズレすることなくスライドガイドされる。
【００２１】
特に、請求項２に記載の発明によれば、ガイド部の幅方向の端部を、内向きに傾斜させることで、ピンの直進性を改善することができる。
（請求項３）
請求項３に記載の発明によれば、上記した請求項１又は請求項２に記載の発明の効果に加え、次のような効果を奏する。
【００２２】
すなわち、請求項３に記載の発明によれば、グロメットの脚片が４本のものに好適なクリップを提供することができる。
（請求項４）
請求項４に記載の発明によれば、上記した請求項１〜３のいずれか１項に記載の発明の効果に加え、次のような効果を奏する。
【００２３】
すなわち、請求項４に記載の発明によれば、ピンの直進性の改善に加え、防止部により、砂利等の異物の侵入を防止することができる。
（請求項５）
請求項５に記載の発明によれば、上記した請求項４に記載の発明の効果に加え、次のような効果を奏する。
【００２４】
すなわち、請求項５に記載の発明によれば、防止部の幅方向の端部を、内向きに傾斜させることで、砂利等の異物の侵入を効果的に防止することができる。
（請求項６）
請求項６に記載の発明によれば、上記した請求項１に記載の発明の効果に加え、次のような効果を奏する。
【００２５】
すなわち、請求項６に記載の発明によれば、グロメットの脚片の内側に設けたリブにより、ピンの直進性の改善に加え、砂利等の異物の侵入を防止することができる。
【図面の簡単な説明】
【００２６】
【図１】本発明の第１の実施の形態を示し、同図はクリップの斜視図である。
【図２】グロメットを上方から見た斜視図である。
【図３】グロメットを下方から見た斜視図である。
【図４】一半を断面にしたグロメットの正面図である。
【図５】一半を断面にしたグロメットの側面図である。
【図６】グロメットの平面図である。
【図７】グロメットの底面図である。
【図８】図４のＡ−Ａ線に沿う断面図である。
【図９】図７のＢ−Ｂ線に沿う断面図である。
【図１０】ピンを上方から見た斜視図である。
【図１１】ピンを下方から見た斜視図である。
【図１２】ピンの正面図である。
【図１３】ピンの側面図である。
【図１４】ピンの底面図である。
【図１５】図１１のＣ部の拡大図である。
【図１６】図１２のＤ−Ｄ線に沿う断面図である。
【図１７】図１２のＥ−Ｅ線に沿う断面図である。
【図１８】図１６のＦ部の拡大図である。
【図１９】図１７のロック溝の周辺の一部断面図である。
【図２０】クリップの仮止め状態を示す斜視図である。
【図２１】図２０に対応し、一半を断面にしたクリップの正面図である。
【図２２】図２０に対応し、一半を断面にしたクリップの側面図である。
【図２３】図２０に対応し、クリップの平面図である。
【図２４】図２１の横断面図である。
【図２５】クリップの仮止め状態とし、且つ板状部材及びパーツに装着した状態の断面図である。
【図２６】板状部材及びパーツを固定した状態のクリップの断面図である。
【図２７】図２６の横断面図である。
【図２８】本発明の第２の実施の形態を示し、同図はクリップの仮止め状態とし、グロメットを上方から見た斜視図である。
【図２９】図２８に対応し、グロメットを下方から見た斜視図である。
【図３０】図２８に対応し、クリップの正面図である。
【図３１】図２８に対応し、クリップの平面図である。
【図３２】図２８に対応し、クリップの底面図である。
【図３３】図３０のＩ−Ｉ線に沿う断面図である。
【図３４】本発明の第２の実施の形態を示し、同図は板状部材及びパーツを固定した状態のクリップの正面図である。
【図３５】図３４に対応し、クリップの側面図である。
【図３６】図３４に対応し、クリップの平面図である。
【図３７】図３４に対応し、クリップの底面図である。
【図３８】図３４のＪ−Ｊ線に沿う断面図である。
【図３９】図３４のＫ−Ｋ線に沿う断面図である。
【図４０】本発明の第２の実施の形態を示し、同図はクリップの概略断面図である。
【発明を実施するための形態】
【００２７】
図１中、10は、クリップを示し、図２５及び図２６に示すように、例えば自動車のボディー等の板状部材20に対して、アンダーカバー等のパーツ30,30aを取り付けるのに使用されている。
なお、板状部材20として、自動車のボディーを例示し、又、パーツ30,30aとしてアンダーカバーを例示したが、これらに限定されない。
【００２８】
上記板状部材20には、図２５及び図２６に示すように、クリップ10を挿入可能であり、表裏面に貫通した方形の取付孔21を設けている。
また、パーツ30,30aには、クリップ10を挿入可能であり、取付孔21と整合するとともに、表裏面に貫通した方形の貫通孔31,31bを設けている。パーツ30,30aは、図２５及び図２６に示すように、１個ないしは１枚でも良いし、或いは２個ないしは２枚以上であっても良い。
【００２９】
クリップ10は、図１に示すように、大別すると、次のパーツを備える。
なお、次の（１）及び（２）については、後述する。
（１）グロメット40
（２）ピン50
なお、クリップ10のパーツは、上記した（１）及び（２）に限定されない。
（グロメット40）
グロメット40は、図１〜９に示すように、ピン50の後述する軸部90が挿入可能な挿入孔61を有するものである。
【００３０】
グロメット40は、適度な剛性と弾性とを有する熱可塑性の合成樹脂、例えばＰＯＭ（ポリアセタール）により一体的に成形されている。なお、グロメット40の材料として、ＰＯＭを例示したが、これに限定されない。
具体的には、グロメット40は、図１〜９に示すように、大別すると、次の各部を備える。
【００３１】
なお、次の（１）及び（２）については、後述する。
（１）フランジ部60
（２）脚部70
なお、グロメット40の各部は、上記した（１）及び（２）に限定されない。
（ピン50）
ピン50は、図１及び図１０〜１９に示すように、グロメット40の後述する挿入孔61に挿入可能なものである。
【００３２】
ピン50は、適度な剛性と弾性とを有する熱可塑性の合成樹脂、例えばＰＢＴ（ポリブチレンテレフタレート）により一体的に成形されている。なお、ピン50の材料として、ＰＢＴを例示したが、これに限定されない。
具体的には、ピン50は、図１〜１０に示すように、大別すると、次の各部を備える。
なお、次の（１）及び（２）については、後述する。
【００３３】
（１）頭部80
（２）軸部90
なお、ピン50の各部は、上記した（１）及び（２）に限定されない。
（フランジ部60）
フランジ部60は、図１〜７に示すように、その中央にピン50の軸部90を挿入可能な挿入孔61が形成され、外径を板状部材20の取付孔21の内径より大きく設定している。
【００３４】
フランジ部60は、図１〜７に示すように、略円盤形に形成されている。なお、フランジ部60を、略円盤形に形成したが、これに限定されない。
具体的には、フランジ部60には、図１〜９に示すように、次の各部を備える。
なお、次の（１）〜（３）については、後述する。
（１）挿入孔61
（２）突起62
（３）差込溝63
なお、フランジ部60の各部は、上記した（１）〜（３）に限定されない。
（挿入孔61）
挿入孔61は、図２、図４〜６、図２０〜２２、図２５及び図２６に示すように、フランジ部60の中央に位置し、フランジ部60を上下に貫通し、ピン50の後述する軸部90を挿入可能なものである。
【００３５】
挿入孔61は、直径方向に長い略長方形に形成されている。
なお、挿入孔61を、略長方形に形成したが、これに限定されない。
（突起62）
突起62は、図６に示すように、挿入孔61内に突出し、当該挿入孔61に挿入されたピン50の後述する軸部90を仮止めするためのものである。
【００３６】
突起62は、挿入孔61の長手方向の両端部の四隅に計４個位置し、断面半円形に突出する。
突起62は、ピン50の後述する仮止溝94にはまり込み、図２０〜２２に示すように、軸本体91を挿入孔61に浅く挿入した状態に仮止めする（以下、「仮止め位置」という。）。
（差込溝63）
差込溝63は、図２３及び図２６に示すように、フランジ部60の上面であって、その挿入孔61の周囲に凹状に形成された窪み内に、ピン50の後述する頭部80が略面一にはまり込んだ状態において、図示しないが、ドライバー等を差し込み、ピン50の頭部80を窪みの底から浮上させるものである。
【００３７】
差込溝63は、図２及び図６に示すように、挿入孔61を中心に、その長手方向の両端部に位置し、窪部81の周囲の環状の突縁部を凹状に凹ませて形成している。
（脚部70）
脚部70は、図１〜５、図２５及び図２６に示すように、フランジ部60の下面から垂下し、板状部材20の取付孔21及びパーツ30,30aの貫通孔31,31bに挿入可能なものである。
【００３８】
具体的には、脚部70は、図１〜５及び図８に示すように、次の各部を備える。
なお、次の（１）〜（４）については、後述する。
（１）脚片71
（２）膨出部72
（３）リブ73
（４）ロック爪74
なお、脚部70の各部は、次の（１）〜（４）に限定されない。
（脚片71）
脚片71は、図１〜５に示すように、下端部からフランジ部60の下面に向かってスリットにより縦割りに２分割され、離れて対向する。
【００３９】
なお、脚片71の個数として、２個を例示したが、これに限定されず、３個以上形成しても良い。
（膨出部72）
膨出部72は、図２〜４に示すように、脚片71の先端部に位置し、脚片71の対向間隔内に突出するように、脚片71の肉厚を先端部に向かって徐々に増加させている。
（リブ73）
リブ73は、図８に示すように、脚片71の内側に設けられ、脚片71の対向間隔内に突出し、ピン50の後述するガイド部92と協働し、ピン50のスライドガイドとして機能する。
【００４０】
リブ73は、図２４に示すように、ピン50と脚片71との間の隙間を覆う機能を併せ持っている。
その結果、リブ73により、ピンの直進性の改善に加え、砂利等の異物の侵入を防止することができる。
具体的には、図８及び図２４に示すように、リブ73は、脚片71の幅方向に両端部から一対突出し、ピン50の後述するスライド溝95にはまり合うようにして相対的にスライドする。
【００４１】
なお、リブ73を、各脚片71から一対突出させたが、これらに限定されず、単数或いは３個以上、突出させても良いし、又、２個の脚片71のリブ73の個数を異ならせても良い。
（ロック爪74）
ロック爪74は、図４、図５及び図２６に示すように、脚片71の下端部の内側面から相対向して爪状に突出し、ピン50の後述するロック溝96にはまり込むことで、ピン50をグロメット40に深く挿入したロック位置にロックするためのものである。
（頭部80）
頭部80は、図１０〜１４及び図１７に示すように、後述する軸部90の上端部から張り出し、その外径を後述するグロメット40の挿入孔61の内径より大きく設定している。
【００４２】
具体的には、頭部80は、図１０及び図１４に示すように、平面を長円形或いは小判形に形成している。
なお、頭部80を、平面が長円形或いは小判形に形成したが、これに限定されない。
（軸部90）
軸部90は、図１０〜１９に示すように、後述するグロメット40の挿入孔61に挿入可能なものである。
【００４３】
具体的には、軸部90は、図１０〜１９に示すように、大別すると、次の各部を備える。
なお、次の（１）〜（６）については、後述する。
（１）軸本体91
（２）ガイド部92
（３）凸部93
（４）仮止溝94
（５）スライド溝95
（６）ロック溝96
なお、軸部90の各部は、上記した（１）〜（６）に限定されない。
（軸本体91）
軸本体91は、図２０〜２２、図２５及び図２６に示すように、グロメット40の挿入孔61を通して、２本の脚片90の間隔内に挿入され、当該脚片90を拡開させるためのものである。
【００４４】
軸本体91は、図１０〜１９に示すように、板状に形成され、フランジ部60の挿入孔61の長手方向の左右の横幅以下、例えば略等しい横幅を有し、挿入孔61の長手方向の前後の横幅以下、例えば横幅より薄い厚みを有する。
（ガイド部92）
ガイド部92は、図１０〜１６、図１８及び図２７に示すように、ピン50の軸方向に設けられ、グロメット40の２本の脚片71の両端部をスライドして脚片71の拡開をガイドするものである。
【００４５】
ガイド部92は、グロメット40の２本の脚片71のそれぞれに対向して設けられ、脚片71の数に等しく計２個設けられている。
各ガイド部92は、薄板状に形成され、一対の縦壁92aからなる。
ガイド部92は、図２７に示すように、脚片71の内側に設けたリブ73と協働し、ピン50のスライドガイドとして機能する。
【００４６】
また、ガイド部92は、グロメット40の２本の脚片71の各側部をスライドして、脚片71との間からの砂等の異物の侵入を許す隙間のないよう、すなわち隙間を減少させ、当該隙間から砂等の異物の侵入を防止する「防止部」としても機能する。すなわち、ガイド部92は、「防止部」を兼用している。
その結果、ガイド部92により、ピンの直進性の改善に加え、「防止部」として機能することにより、砂利等の異物の侵入を防止することができる。
【００４７】
一対の縦壁92aは、図１６に示すように、脚片71がはまり込む間隔を保って離れて対向し、基端部側から先端部側に向かって対向間隔が徐々に狭まるように形成された（同図の「ａ＜ｂ」参照）。
縦壁92aは、図１８に示すように、基端部側から先端部側に向かって肉厚を徐々に減少させている（同図の「ｃ＞ｄ」参照）。
（凸部93）
凸部93は、図１０、図１１、図１３〜１６、図１８及び図２７に示すように、軸本体91をフランジ部60の挿入孔61に挿入した状態において、２個の脚片71の対向間隔に割り込んで、当該対向間隔内を通して外側に向かって凸状に突出するものである。
【００４８】
凸部93は、軸本体91の両端部にそれぞれ位置し、一対形成され、縦壁92aの外側に凸状に突出する。
（仮止溝94）
仮止溝94は、図１０、図１３及び図１５に示すように、凸部93の下端部側に位置し、グロメット40の突起62がはまり込むものである。
（スライド溝95）
スライド溝95は、図２４に示すように、各脚片71の一対のリブ73にそれぞれはまり合うものである。スライド溝95は、脚片71と対向する側面に、断面凹状に形成され、軸本体91の長手方向に延びている。
スライド溝95は、図１５に示すように、リブ73を誘い込み易いように、軸本体91の先端部に位置し、リブ73がはまり込む溝幅ｅを有し、又、所定の長さｆに形成され、グロメット40に対するピン50の挿入性を改善している。
（ロック溝96）
ロック溝96は、図２６に示すように、ピン50をグロメット40を深く挿入したロック位置において、各脚片71のロック爪74にはまり合うものである。ロック溝96は、脚片71と対向する側面の下端部に凹状に形成されている。
（クリップ10の装着方法）
つぎに、上記した構成を備えたクリップ10の装着方法について説明する。
【００４９】
まず、図２０〜２３に示すように、ピン50の軸部90を、グロメット40の挿入孔61に合わせて挿入し、仮止め状態とする。
このとき、挿入孔61から突出する突起62が、ピン50の仮止溝94にはまり込むことで、ピン50が浅く挿入された仮止め位置に係止される。
つぎに、仮止め状態としたクリップ10を使用して、図２５及び図２６に示すように、板状部材20に対してパーツ30,30aを取り付ける。
【００５０】
パーツ30,30aは、板状部材20に重ね合わせ、両者の取付孔21と貫通孔31,31bとを整合させる。
その後、仮止め状態としたグロメット40の脚部70を、パーツ30,30aの貫通孔31,31b側から板状部材20の取付孔21に向かって挿入する。
なお、パーツ30,30aの貫通孔31,31bに、仮止め状態としたグロメット40の脚部70を予め挿入し、その後、パーツ30,30aは、板状部材20に重ね合わせる際に、貫通孔31,31bから突出するグロメット40の脚部70を、板状部材20の取付孔21に挿入するようにしても良い。
【００５１】
最後に、ピン50をグロメット40の挿入孔61に深く挿入することで、図２６に示すように、グロメット40の２個の脚片71が、板状部材20の裏側で拡開する。
このとき、グロメット40の脚片71のロック爪74が、ピン50のロック溝96にはまり込むことで、ピン50をグロメット40に深く挿入したロック位置にロックされる。
また、グロメット40の２個の脚片71が板状部材20の裏側で拡開することで、フランジ部60の下面との間で板状部材20及びパーツ30,30aを重合状態に挟み持ち、パーツ30,30aはクリップ10を介して板状部材20に固定される。
【００５２】
一方、ピン50を挿入する際に、図２７に示すように、ガイド部92を構成する一対の縦壁92aの間隔内で、グロメット40の脚片71が放射方向に移動することで、ピン50の直進性を維持できる。このとき、一対の縦壁92aと、脚片71の一対のリブ73とが一部ラップしていることで、ガイド部92とリブ73との協働による作用・効果を期待できる。
また、クリップ10のロック状態においては、グロメット40の一対の脚片71の対向間隔内の隙間がガイド部92を構成する一対の縦壁92aにより塞がれることから、砂利等の異物の侵入を防止することができる。一対の縦壁92aと、脚片71の一対のリブ73とが一部ラップしていることで、ガイド部92とリブ73との協働による作用・効果を期待できる。
【００５３】
このため、ピン50のガイド部92及びリブ73により、グロメット40のスリット91から脚部70の中空内部への、砂利、砂、泥、埃等の異物の侵入が阻止される。
すなわち、ピン50とグロメット40との間に、砂利等の異物が侵入すると、両者の間の摩擦抵抗が増加したり、或いは砂利等の異物が一種の”くさび”として作用して、ピンを抜くことができなくなるおそれがあったが、ピン50のガイド部92により、砂利等の異物の侵入を防止できることから、これらの不具合を解消できる。
また、図２７でいうガイド部92の縦壁92aと脚片71のリブ73の間隔が製造誤差等により隙間が生じ、この隙間から砂利等の異物が侵入しても、クリップ10が取り付られる部位が自動車のボディの下面のアンダーカバーの取付に使用される場合が多く、砂利等は脚片71と軸本体91間の空間を軸方向下方に抜け、フランジ60の差し込み溝63とピン50の頭部80の間の隙間からクリップ10の外へ排出されるようになっている。すなわち、取付部位においては、図２６にあって上下方向が逆向き、具体的には、グロメット40のフランジ部60が下側に位置し、下方からピン50の挿入し、その頭部80が下側に位置する、位置関係で取り付けられる。このため、前記隙間から侵入した砂利等の異物は、その自重により、クリップ10の内部を通って落下し、クリップ10の外に排出される。
【００５４】
一方、クリップ10のロック状態を解除する際には、グロメット40の差込溝63から、図示しないが、ドライバー等を差し込み、ピン50の頭部80を窪部81の底面から浮上させることで、ピン50の軸部90をグロメット40の挿入孔61から抜ける方向にスライドさせることができる。
（ガイド部92とリブ73による作用）
ガイド部92とリブ73による作用について、補足的に説明する。
【００５５】
第１に、図２７に示すように、ガイド部92とリブ73とが一部ラップしていることから、図２６に示すように、クリップ10を装着した状態において、脚片71が撓んだ際にも、２本の脚片71の対向間隔内に形成される隙間からの砂利等の異物が侵入するのを防止できる。
すなわち、２本の脚片71の隙間を、「防止部」としても機能するガイド部92により一次的に覆っている。また、２本の脚片71の隙間は、リブ73により二次的にも覆われているので、砂利等の異物が侵入するのを二重に防止できるとともに、ピン50の挿入性や直進性を改善することができる利点がある。
【００５６】
なお、図２１に示す仮止め状態においても、ガイド部92とリブ73とが一部ラップすることで、ピン50の挿入性や直進性を改善することができる。
第２に、ピン50を挿入して仮止め状態とするときに、図２４に示すように、ピン50側のスライド溝95にリブ73がはまり合うようにして案内されることで、ピン50の挿入性や直進性を改善することができる利点がある。
（第２の実施の形態）
つぎに、図２８〜３９を用いて、本発明の第２の実施の形態について説明する。
【００５７】
本実施の形態の特徴は、第１に、図２９に示すように、グロメット110の脚片141を、４本とした点である。
第２に、４本の脚片141の両側に、図３９に示すように、それぞれガイド部162、計４個設けた点である。
第３に、各ガイド部162は、先に図１〜２７を用いた説明した第１の実施の形態のガイド部92と同様の構造を有し、図３９に示すように、ピン120に設けられ、一対の縦壁162aから構成されている。縦壁162aは、隣接するガイド部92の縦壁162aと断面がアングル状ないしは英大文字の「Ｌ」字形に連接する。
【００５８】
本実施の形態のガイド部162によれば、ピン120の直進性を改善できるばかりでなく、砂利等の異物の侵入を防止する「防止部」としても機能する。
なお、本実施の形態の説明においては、先に図１〜２７を用いた説明した第１の実施の形態の共通した構成部分については、共通した名称を付して説明を省略する。
（第３の実施の形態）
つぎに、図４０を用いて、本発明の第３の実施の形態について説明する。
【００５９】
本実施の形態の特徴は、第１に、先に図２８〜３９を用いた説明した第２の実施の形態のものと同様に、図４０に示すように、グロメット210の脚片211を、４本とした点である。
第２に、先に説明した第２の実施の形態のものと同様に、４本の脚片211の両側に、図４０に示すように、それぞれガイド部222、計４個設けた点である。
【００６０】
第３に、ガイド部222は、図４０に示すように、ピン220の軸本体221から放射状に延びるに縦壁222aから構成される点である。ガイド部222は、隣接するガイド部222と縦壁222aを共有し、隣接する一対の縦壁222aの間に形成される。
第４に、縦壁222aの先端部には、図４０に示すように、英大文字の「Ｔ」字形に連接する交差壁222bを設けた点である。縦壁222aは、隣接する脚片211の間の隙間内に割り込み、又、交差壁222bは、前記隙間の開放周面を塞ぐように位置する。
【００６１】
本実施の形態のガイド部222によれば、ピン220の直進性を改善できるばかりでなく、砂利等の異物の侵入を防止する「防止部」としても機能する。
なお、本実施の形態の説明においては、先に説明した第１、第２の実施の形態の共通した構成部分については、共通した名称を付して説明を省略する。
【符号の説明】
【００６２】
（第１の実施の形態）
10  クリップ
20  板状部材              21  取付孔
30,30a  パーツ            31,31a  貫通孔
40  グロメット            50  ピン
60  フランジ部            61  挿入孔
62  突起                  63  差込溝
70  脚部
71  脚片                  72  膨出部
73  リブ                  74  ロック爪
80  頭部
90  軸部                  91  軸本体
92  ガイド部（防止部）    92a 縦壁
93  凸部                  94  仮止溝
95  スライド溝            96  ロック溝
（第２の実施の形態）
100  クリップ
110  グロメット           120  ピン
130  フランジ部           131  挿入孔
140  脚部                 141  脚片
142  膨出部               143  ロック爪
150  頭部
160  軸部                 161  軸本体
162  ガイド部（防止部）   162a 縦壁
163  ロック溝
（第３の実施の形態）
200  クリップ
210  グロメット           211  挿入孔
220  ピン
221  軸本体               222  ガイド部
222a  縦壁                222b  交差壁
【図１】
2014129861.tif 000003
【図２】
2014129861.tif 000004
【図３】
2014129861.tif 000005
【図４】
2014129861.tif 000006
【図５】
2014129861.tif 000007
【図６】
2014129861.tif 000008
【図７】
2014129861.tif 000009
【図８】
2014129861.tif 000010
【図９】
2014129861.tif 000011
【図１０】
2014129861.tif 000012
【図１１】
2014129861.tif 000013
【図１２】
2014129861.tif 000014
【図１３】
2014129861.tif 000015
【図１４】
2014129861.tif 000016
【図１５】
2014129861.tif 000017
【図１６】
2014129861.tif 000018
【図１７】
2014129861.tif 000019
【図１８】
2014129861.tif 000020
【図１９】
2014129861.tif 000021
【図２０】
2014129861.tif 000022
【図２１】
2014129861.tif 000023
【図２２】
2014129861.tif 000024
【図２３】
2014129861.tif 000025
【図２４】
2014129861.tif 000026
【図２５】
2014129861.tif 000027
【図２６】
2014129861.tif 000028
【図２７】
2014129861.tif 000029
【図２８】
2014129861.tif 000030
【図２９】
2014129861.tif 000031
【図３０】
2014129861.tif 000032
【図３１】
2014129861.tif 000033
【図３２】
2014129861.tif 000034
【図３３】
2014129861.tif 000035
【図３４】
2014129861.tif 000036
【図３５】
2014129861.tif 000037
【図３６】
2014129861.tif 000038
【図３７】
2014129861.tif 000039
【図３８】
2014129861.tif 000040
【図３９】
2014129861.tif 000041
【図４０】
2014129861.tif 000042